(57)【要約】【課題】電動歯ブラシにマイナスイオンの生み出す効果を相乗的に作用させる。【解決手段】モーター３とこれを駆動する電池４を収容し、片手で把持しやすい形状の本体部１と、本体部１の端部に着脱可能であり、先端に歯ブラシの毛２ｃを備え、本体部１に装着時歯ブラシの毛２ｃがモーター３により駆動され運動するヘッド２とを備え、ヘッド２のブラシの毛２ｃは石英安山岩を配合したナイロンで構成するとともに、所定長さの毛複数本を同一方向に向け小さめの束としてヘッドに植え込み、特定の歯と隣接する歯との間にこの小さい束状のブラシの毛２ｃをその軸方向に挿入し、歯間を磨く構造とした。【選択図】　　図１
2004024805.tif 000002
【特許請求の範囲】
【請求項１】
モーターと、前記モーターを駆動する電源部等を収容し、片手で把持しやすい形状の本体部と、前記本体部の端部に着脱可能であり、先端に歯ブラシの毛を備え、前記本体に装着時前記歯ブラシの毛が前記モーターにより駆動され運動するヘッドと、を備え、
前記ヘッドのブラシの毛は石英安山岩を配合したナイロンで構成されることを特徴とする電動歯ブラシ。
【請求項２】
ヘッドのブラシは、所定長さの毛複数本を同一方向に向け小さめの束としてヘッドに植え込み、特定の歯と隣接する歯との間に前記毛束をその軸方向に挿入し、歯間を磨く構造としたことを特徴とする請求項１に記載の電動歯ブラシ。
【発明の詳細な説明】
【０００１】
【発明の属する技術分野】
本発明は、電動歯ブラシに関するものである。
【０００２】
【従来の技術】
従来の電動歯間磨き用として図３に部分図を示したような、柄３１に直交する方向に軸３２を向け、その先端に２条の金属ワイヤー、例えば鋼線３３を並列に固定し、その２条の鋼線３３間にブラシの毛３４を多数配置し、これを螺旋状に捻ってブラシの毛を固定するとともに毛の向きを軸３２に対し放射状となるようにしたものが実用化されている。なお、図３においては図の複雑化を避けるためブラシの毛３４は一部のみが記載されている。
【０００３】
一方、氷河期に火山が爆発して噴出したマグマが急激に冷却結晶し、天然のガラス質と化した石が風化せずに塊で産出した、いわゆる松鉱石と呼ばれる石英安山岩には、常時放出されるマイナスイオン、遠赤外線、育成光線、磁波エネルギー等の相乗効果である物質波が電磁波カット、脱臭、消臭、静電気防止、酸化還元作用、緩衝作用、鮮度維持などのさまざまな効果を発揮するものであることが学術的裏づけを得ていることは公知である。
【０００４】
また、マイナスイオンを体内に取り込むと血流がよくなり、体内細胞を活発にする。マイナスイオンの多い空気は人体の酸化物をアルカリ性に中和して細胞内に酸素と栄養素を吸収しやすくし、老廃物を排出しやすくして細胞を活性化するので人体が元来持っている自然治癒力を高める働きがある。マイナスイオン効果には安眠、精神安定作用、血液の浄化作用があることも認められている。
【０００５】
【発明が解決しようとする課題】
このような石英安山岩を、前記した電動歯ブラシに利用し、石英安山岩から発生するマイナスイオンと電動歯ブラシとの相乗効果により、従来以上の歯磨きの効果が得られる電動歯ブラシは未だに市場に提供されていない。
【０００６】
歯間磨き用として前記した図３に部分図として示したようなものにおいては、ブラシが電動高速微振動状態のとき、歯間ブラシの先端が振動しているため磨こうとする歯間への狙いが定まりにくいだけでなく、この歯磨き時にその近くの歯茎に当たり痛みが生じる。また、うまく歯間に入ったとしても金属ワイヤーなどの軸が歯間を形成している歯の面に当たり歯磨き時に痛みを生じる。さらに、ブラシの毛の向きの関係で歯間磨き中にブラシの毛先が歯茎面に食い込み、痛みを生じることもある。
【０００７】
本発明は、このような石英安山岩を、前記した電動歯間ブラシに利用し、石英安山岩から発生するマイナスイオンと電動歯ブラシとの相乗効果により、従来以上の優れた歯磨きの効果が得られる電動歯ブラシを提供すること、また、歯間を磨くときにも歯茎に痛みを感じることのない電動歯ブラシを提供することを課題としている。
【０００８】
【課題を解決するための手段】
このような課題を解決するために本発明は、モーターと、前記モーターを駆動する電源部等を収容し、片手で把持しやすい形状の本体部と、前記本体部の端部に着脱可能であり、先端に歯ブラシの毛を備え、前記本体に装着時前記歯ブラシの毛が前記モーターにより駆動され運動するヘッドとを備え、前記ヘッドのブラシの毛は石英安山岩を配合したナイロンで構成されるようにした。これにより、電動による振動とマイナスイオンの相乗効果によりムシ歯の原因となる歯垢を効果的に除去し、歯茎の血行を良好にし、歯周病を予防することができるものとなる。
【０００９】
また、本発明では、ヘッドのブラシは、所定長さの毛複数本を同一方向に向け小さめの束としてヘッドに植え込み、特定の歯と隣接する歯との間に前記毛束をその軸方向に挿入し、歯間を磨く構造とした。また、ブラシの毛は石英安山岩を配合したナイロンで構成されるようにしたので、ブラシから発生したマイナスイオンが歯の表面を被い、コーティングすることにより歯の表面が滑りやすくなるので歯間にブラシの毛が入り込む摩擦が減り、ブラシの毛が歯間に入りやすくなる。これにより、必要以上にブラシの毛が歯間に入り込むことなく、歯間を押し広げることなく痛みを感じることもないものとすることができる。また、ブラシが振動中であっても容易に歯間に挿入して歯間を磨くことができ、歯茎に痛みを感じることもないものとすることができる。
【００１０】
【発明の実施の形態】
本発明の請求項１に記載の発明は、モーターと、前記モーターを駆動する電源部等を収容し、片手で把持しやすい形状の本体部と、前記本体部の端部に着脱可能であり、先端に歯ブラシの毛を備え、前記本体に装着時前記歯ブラシの毛が前記モーターにより駆動され運動するヘッドとを備え、前記ヘッドのブラシの毛は石英安山岩を配合したナイロンで構成されることを特徴とする電動歯ブラシとしたものであり、電動によるブラシの高速微振動と、石英安山岩から発生するマイナスイオンとの相乗効果によって歯垢を効果的に除去するという作用を有する。
【００１１】
また、請求項２に記載の発明は、ヘッドのブラシは、所定長さの毛複数本を同一方向に向け小さめの束としてヘッドに植え込み、特定の歯と隣接する歯との間に前記毛束をその軸方向に挿入し、歯間を磨く構造としたものであり、歯間を磨いてもブラシの毛先が歯茎に食い込むようなことがないので痛みを感じることがなく、しかもブラシは毛先が変形しにくく耐久性に富むという作用を有する。
【００１２】
以下、本発明の実施の形態について、図１、図２を用いて説明する。
（実施の形態１及び２）
図１は本発明の実施の形態１の電動歯ブラシの構造を説明する正面図である。同図において、１は歯ブラシとして手で把持しやすい形状、寸法の本体部であって、透明あるいは不透明な樹脂で筒状に形成され、内部にモーター３を収容する本体上部１ａと、乾電池などの電池４が収容される本体下部１ｂとからなり、両者は本体上部１ａの結合部１ａ１と本体下部１ｂの結合部１ｂ１とを相互に捻ることによって着脱し、必要時電池４を交換することができるようになっている。このような構造は公知であるので着脱構造の説明は省略する。本体上部１ａ内には前記したようにモーター３が配置されているが、このモーター３の回転軸には、回転軸とは中心を偏芯させた偏芯部材３ａが取り付けられ、モーター３の回転時、振動が発生するようにしてある。
【００１３】
本体部１の上端はやや細めの径に形成されて先細のテーパー状とし、さらにこの先端部分に突起１ａ２を設ける。
【００１４】
２はヘッドであり、透明あるいは不透明な樹脂で柱状に形成され、歯磨き用のブラシを備えるものであって、消耗品として本体部１に対し交換できるようにする。従ってヘッド２は本体１の上端に対して着脱可能とし、ヘッド２の下端の凹部２ａ２を本体上部１ａの突起１ａ２に嵌め込んで取り付けるようにする。ヘッド２は先端寄りを直角に屈曲させて軸部２ｂとし、さらにその先端にブラシの毛２ｃを軸部２ｂの軸方向に向け植設してある。ブラシの毛２ｃは、石英安山岩を配合したナイロン製とし、複数本を小さめの束にまとめて軸部２ｂの先端に植え込む。ブラシの毛２ｃの先端は同一長さに切り揃える。
【００１５】
５は電源スイッチである。電池４とモーター３とを結ぶ回路の間に介在させ、電池４からモーター３への給電をオン、オフ操作できるように本体部１の外側に操作部を露出させる。電線や電池端子等は省略して図示してある。なお、この電源スイッチ５は本体上部１ａの結合部１ａ１と本体下部１ｂの結合部１ｂ１間に接点を設け、本体上部１ａと本体下部１ｂとを一定の角度、相互に捻る際にオン、オフするような構造としてもよい。
【００１６】
このような構成の電動歯ブラシの電源スイッチ５をオンすることによってモーター３が電池４から給電されて駆動され、回転軸に取り付けた偏芯部材３ａが回転する。偏芯部材３ａは中心がモーターの回転軸から偏芯しているので重心も偏芯しており、回転にともない振動が発生し、本体部１全体を振動させる。この振動はヘッド２に伝達され、軸２ｂを介してブラシの毛２ｃを振動させる。
【００１７】
歯間に挿入されたブラシの毛２ｃは歯間を振動によりきれいにする。本実施の形態の電動歯ブラシにおいては電動高速微振動により効率的な歯磨きを行うように設定されている。
【００１８】
石英安山岩を含むブラシの毛２ｃは振動により刺激を加えられ、マイナスイオンを発生する。
【００１９】
ブラシから発生するマイナスイオンは歯垢中のプラスイオンを引き寄せ、歯垢を歯から取れやすくする。また、ブラシから発生したマイナスイオンは歯の表面を被い、コーティングする。このイオンコートにより歯の表面がツルツルになり汚れや雑菌が付きにくくなる。
【００２０】
このように本実施の形態１の電動歯ブラシによれば、電動歯ブラシとマイナスイオンとの相乗効果により歯垢を効果的に除去することができる。
【００２１】
（実施の形態２）
図２に前記とは別のブラシの毛を備えたヘッドの部分図を示した。この図２のものは、ヘッド２の先端寄りを直角に屈曲させて軸部２ｂとし、さらにその先端にブラシの毛２ｄを軸部２ｂの軸方向に向け植設してある。毛２ｄは石英安山岩を配合したナイロン製で、このブラシの毛を複数本を小さめの束にして植え込む。そして先端を、軸の中心寄りほど長く、周縁に近づくに従って短く、いわゆるテーパー状にカットする。このようなブラシを用いることにより、より歯間に挿入しやすいものとすることができる。
【００２２】
なお、ヘッド２は、ほぼフラットなブラシ面として用いてもよい。
【００２３】
また、上記の実施の形態では、モーターの駆動電源として単に電池とのみ記載したが、乾電池や充電電池などの直流電源を用いてもよく、あるいは家庭用の交流の商用電源を利用することもできる。
【００２４】
【発明の効果】
以上のように本発明によれば、電動歯ブラシのブラシの毛に、いわゆる松鉱石と称される石英安山岩を配合したナイロンを用いたので、電動高速微振動による効率的な歯磨きが行えるのと併せて、歯磨き時ブラシから発生するマイナスイオンによって歯垢の中のプラスイオンを引き寄せ歯垢が歯から取れやすくなる。また、マイナスイオンには強い洗浄力と美白効果があるので歯磨き粉を使わなくても歯垢が取れ、歯垢を除去することで虫歯になりにくくなる有利な効果が得られる。
【００２５】
電動マッサージ効果とマイナスイオンの持つ血液の浄化作用により歯茎の血行をよくし、歯周病予防に効果を発揮することができる。
【００２６】
歯磨き粉を用いないので歯磨き粉中に含まれる研磨剤や漂白剤などの化学薬品を体内に取り込むことがない。また、廃水として排水されないので、環境汚染の原因が除かれる。
【００２７】
歯磨き粉に含まれる香料臭が口腔内に残らないので味覚に悪影響がない。また、マイナスイオンの消臭効果によって口臭も抑えることができる。
【００２８】
汚れの付着した義歯や金属冠がブラッシングでよみがえる。
【００２９】
ブラシから発生したマイナスイオンが歯の表面を被うイオンコートによって歯の表面がツルツルになり、汚れや雑菌が付着しにくくなる有利な効果が得られる。
【００３０】
マイナスイオンの作用により歯間ブラシの先端が歯間に滑り込むので必要以上に歯間に入り込むことがなく、歯磨き時に痛みを生じない。
【図面の簡単な説明】
【図１】本発明の電動歯ブラシの構造を説明する正面図である。
【図２】本発明の電動歯ブラシの要部の部分正面図である。
【図３】従来の電動歯ブラシの部分正面図である。
【符号の説明】
１　　　　　　　本体部
２　　　　　　　ヘッド
２ｃ、２ｄ　　　ブラシの毛
３　　　　　　　モーター
４　　　　　　　電池
５　　　　　　　電源スイッチ
【図１】
2004024805.tif 000003
【図２】
2004024805.tif 000004
【図３】
2004024805.tif 000005